(57)【特許請求の範囲】
【請求項１】
一線状に立設した矢板（１）のうち、ある区間離れた位置の２枚の矢板を、腹起しハンガー矢板（２）とし、腹起しハンガー矢板（２）は、上部に一段目吊り下げ用孔（３）をそれぞれ形成し、一段目吊り下げ用孔（３）に、一段目フック（９）の一段目引っ掛け具（１０）を引っ掛けて、それぞれ一段目フック（９）を吊り下げ、一段目フック（９）には一段目引っ掛け具（１０）と反対の向きに突出する一段目腹起し載置部（１１）をそれぞれ形成し、一段目腹起し載置部（１１）に、腹起し（３５）を載置して、対面する腹起し（３５）を切梁で抑止し、一段目フック（９）の下方に二段目フック（１９）を配置し、一段目フック（９）の下部と、二段目フック（１９）の上部のいずれか一方に、引っ掛け具（１３）を形成し、いずれか他方に吊り下げ用孔（２０）を形成して、一段目フック（９）の下部に二段目フック（１９）をそれぞれ吊り下げ、二段目フック（１９）には一段目腹起し載置部（１１）と同一の向きに突出する二段目腹起し載置部（２１）をそれぞれ形成し、二段目腹起し載置部（２１）に腹起し（３５）を載置して、対面する腹起し（３５）を切梁で抑止し、山留をする腹起しハンガー矢板工法。
【請求項２】
腹起しハンガー矢板（２）の上部に形成した一段目吊り下げ用孔（３）を、上下方向の数箇所に形成した請求項１記載の腹起しハンガー矢板工法。
【請求項３】
一段目腹起し載置部（１１）と、二段目腹起し載置部（２１）に、前壁（１２）を立設した請求項１又は請求項２に記載した腹起しハンガー矢板工法。
【発明の詳細な説明】
【０００１】
【発明の属する技術分野】
本発明は、開削溝掘削工事の山留工法に関する。
【０００２】
【従来の技術】
従来、開削溝掘削工事の山留工法として、ブラケット溶接法や、チェーン吊り法がある。
【０００３】
前記のブラケット法は、図３に要部の概略を示してあるように、掘削溝となる部分の、縁となる部分の土留め線に沿って一線状に立設した矢板１（図では片方の土留め線にそって立設した片方の矢板の列のみ示す）のうち、ある区間離れた位置の２枚の矢板を腹起しハンガー矢板２としている。
【０００４】
そして、腹起しハンガー矢板２には、棚受けの形状を持つ腹起し受けであるブラケット３４を、溶接して取付け、そのブラケット３４の上に腹起し３５を載せ、対面する（図示してない）腹起し３５を切梁（図示してない）で抑止するようにした方法である。
【０００５】
また、前記チェーン吊り法は、図４に要部の概略を示してあるように、図３の矢板１と同様に一線状に立設した矢板１のうち、ある区間離れた位置の４枚の矢板（図４では２枚のみ示す）を腹起しハンガー矢板２としている。
【０００６】
そして、図４に示す腹起しハンガー矢板２の丸穴４２に、一端に一方のフック４５を設け、他端に他方のフック４６を設けた短いチェーン４３の一方のフック４５を引っ掛け、短いチェーン４３の他方のフック４６は、短いチェーン４３で一段目の腹起し３５を抱くようにして、短いチェーン４３の途中に他方のフック４６を引っ掛けて、腹起し３５を保持する方法である。
【０００７】
そして、二段目の腹起し３５を保持するには、腹起しハンガー矢板２の丸穴４２に、一方のフック４５を引っ掛けた長いチェーン４４を、一段目の腹起し３５と腹起しハンガー矢板２の間を通した後、二段目の腹起し３５を抱えて保持する方法である。
【０００８】
【発明が解決しようとする課題】
前記ブラケット溶接法は、腹起しハンガー矢板２に、ブラケット３４を溶接する位置を決め、そして、その位置にブラケット３４を溶接するので、ブラケット３４の位置決めと、溶接に長時間を要し、コストも高くなった。
【０００９】
そして、チェーン吊り法は、腹起し３５をチェーンの輪に通すときに腹起し３５を保持しておかなければならないので、重労働を必要とする。
また、腹起し３５が回転し易く、切梁を対面する腹起し３５間に設置することが困難である。
【００１０】
さらに、腹起し３５を水平に設置するには、チェーンに掛ける他方のフック４６の位置が左右同じ高さの位置でなければならないので、設置に熟練を要する。
さらに、二段の腹起し３５を要する場合には、短いチェーン４３のほかに、長いチェーン４４を用意して同様に施工し、短いチェーン４３と長いチェーン４４を区別して置かなければならず面倒である。
【００１１】
また、一段目の腹起し３５と腹起しハンガー矢板２との間に、二段目の腹起し３５保持用の長いチェーン４４を通せる隙間を考慮しなければならず、施工が複雑となるものである。
【００１２】
ところで、ガス配管工事などの開削溝掘削は、迅速に行わなければならない。
これは、掘削機による掘削速度が矢板・腹起し・切梁による山留の施工速度と調和して、初めて良好に達成されるからである。
【００１３】
本発明は、前記事項に鑑みなされたものであり、腹起しを設置すべき箇所の位置決めや、腹起しの設置が、簡単で長時間を要することなく施工でき、重労働や熟練も必要としない腹起しハンガー矢板工法とすることを課題とする。
【００１４】
【課題を解決するための手段】
第１の発明は、一線状に立設した矢板１のうち、ある区間離れた位置の２枚の矢板を、腹起しハンガー矢板２とし、腹起しハンガー矢板２は、上部に一段目吊り下げ用孔３をそれぞれ形成し、一段目吊り下げ用孔３に、一段目フック９の一段目引っ掛け具１０を引っ掛けて、それぞれ一段目フック９を吊り下げ、一段目フック９には一段目引っ掛け具１０と反対の向きに突出する一段目腹起し載置部１１をそれぞれ形成し、一段目腹起し載置部１１に、腹起し３５を載置して、対面する腹起し３５を切梁で抑止し山留をする腹起しハンガー矢板工法とした。
【００１５】
第２の発明は、第１の発明において、一段目フック９の下方に二段目フック１９を配置し、一段目フック９の下部と、二段目フック１９の上部のいずれか一方に、引っ掛け具１３を形成し、いずれか他方に吊り下げ用孔２０を形成して、一段目フック９の下部に二段目フック１９をそれぞれ吊り下げ、二段目フック１９には一段目腹起し載置部１１と同一の向きに突出する二段目腹起し載置部２１をそれぞれ形成し、二段目腹起し載置部２１に腹起し３５を載置して、対面する腹起し３５を切梁で抑止し山留をする腹起しハンガー矢板工法とした。
【００１６】
第３の発明と第４の発明は、第１の発明と第２の発明において、腹起しハンガー矢板２の上部に形成した一段目吊り下げ用孔３を、上下方向の数箇所に形成して、腹起しハンガー矢板工法とした。
【００１７】
第５の発明から第７の発明は、第１の発明から第３の発明において、一段目腹起し載置部１１と、二段目腹起し載置部２１に、前壁１２を立設して、腹起しハンガー矢板工法とした。
【００１８】
【発明の実施の形態】
以下図に基づいて本発明の実施の形態の説明をする。図１及び図２は、本発明の腹起しハンガー矢板工法の説明用の図で、要部の概略を示すものである。
【００１９】
この実施の形態は、ガス配管工事などで地面に形成される開削溝の両側縁の土留め線となる線に沿って一線状に立設する矢板１で施工する（通常は矢板１の列は、開削溝を挟むようにして２条の列となるが、図では片側の土留線に沿って一線状に立設する１条の列のみを示している。）。
【００２０】
そして、この実施の形態の矢板は鋼製である。
一線状に立設した矢板１のうち、ある区間離れた位置にある２枚の矢板を、腹起しハンガー矢板２としている（図２では、ある区間離れた位置の片側の２枚の腹起しハンガー矢板２を示し、他側の腹起しハンガー矢板は示していない。）。
【００２１】
そして、前記２枚の腹起しハンガー矢板２には、上部に一段目吊り下げ用孔３をそれぞれ形成してある。
そして、一段目吊り下げ用孔３に、鉤状に形成した一段目引っ掛け具１０を引っ掛けて、鋼製の板状体で形成した一段目フック９を、それぞれ吊り下げる。
【００２２】
そして、一段目フック９には、一段目引っ掛け具１０と反対の向きに、略水平状に突出する一段目腹起し載置部１１を形成する。
そして、ある区間離れた位置にある２枚の腹起しハンガー矢板２に形成した一段目腹起し載置部１１に、腹起し３５を載置して、対面する腹起し３５を切梁で抑止して山留をする腹起しハンガー矢板工法である。
【００２３】
前記一段目フック９の一段目吊り下げ用孔３は、それぞれ１個のみとすることも、２個以上の多数個とすることも可能である。
また、一段目腹起し載置部１１のみに腹起し３５を載置する、腹起し３５が１段の場合は、矢板の下端部を地盤に打ち込むなどして、矢板の倒れを防ぐ。
【００２４】
二段目フック１９を使用する場合は、一段目フック９の下方に、鋼製の板状体で形成した二段目フック１９を配置し、一段目フック９の下部に鉤状に形成した引っ掛け具１３を形成し、二段目フック１９の上部に吊り下げ用孔２０を形成して、一段目フック９の引っ掛け具１３を二段目フック１９の吊り下げ用孔２０に引っ掛けて吊り下げる。
【００２５】
そして、二段目フック１９には、一段目腹起し載置部１１と同一の向きに、略水平状に突出する二段目腹起し載置部２１を形成して、この二段目腹起し載置部２１にも、二段目の腹起し３５を載置して、この二段目の腹起し３５も切梁で抑止すると、矢板を安定して抑止して、山留のできる腹起しハンガー矢板工法となる。
【００２６】
そして、前記引っ掛け具１３を、二段目フック１９の上部に形成し、吊り下げ用孔２０を一段目フック９の下部に形成して、一段目フック９に二段目フック１９を吊り下げるように形成する形態もある。
【００２７】
腹起し３５を所望の高さに吊り下げる場合は、腹起しハンガー矢板２の上部に一段目吊り下げ用孔３を、上下方向の多数の箇所（図１では６箇所）にそれぞれ形成している。
【００２８】
そして、数箇所に形成した一段目吊り下げ用孔３のうち、腹起し３５を所望の高さに吊り下げられる一段目吊り下げ用孔３に、鉤状に形成した一段目引っ掛け具１０を引っ掛けて、それぞれ鋼製の板状体で形成した一段目フック９を吊り下げる。
【００２９】
一段目腹起し載置部１１と二段目腹起し載置部２１を、腹起し３５を載置し易くする場合は、一段目腹起し載置部１１と二段目腹起し載置部２１に、前壁１２を立設して、一段目腹起し載置部１１と二段目腹起し載置部２１に載せた各腹起し３５が簡単にずれることの無いようにしている。
【００３０】
【発明の効果】
本発明は、腹起しハンガー矢板２に一段目吊り下げ用孔３を形成し、この一段目吊り下げ用孔３に、一段目フック９の一段目引っ掛け具１０を引っ掛けて一段目フック９を吊り下げ、一段目フック９に形成した一段目腹起し載置部１１に、腹起し３５を載置するようにしたものである。
【００３１】
したがって、腹起し３５の設置が、現場での加工などを必要とせず、短時間で正確に、かつ、腹起し３５を回転させることなく施工できる。
また、本発明は、一段目フック９の下方に二段目フック１９を配置して、一段目フック９の下部と、二段目フック１９のいずれか一方に、引っ掛け具１３を形成し、いずれか他方に吊り下げ用孔２０を形成して、一段目フック９の下部に二段目フック１９を吊り下げ、二段目フック１９に二段目腹起し載置部２１を形成したものである。
【００３２】
したがって、二段目の腹起し３５の載置や二段目の腹起し用の切梁の設置も簡単で地上から載置や設置ができるので、開削溝内に作業員が入らなくても施工でき、安全に施工できる。
【００３３】
一段目吊り下げ用孔３を、上下方向の数箇所に形成した発明は、腹起し３５を、所望の高さに吊り下げることが簡単にできる。
一段目腹起し載置部１１と二段目腹起し載置部２１に前壁１２を立設した発明は、一段目腹起し載置部１１と二段目腹起し載置部２１に載置された腹起し３５を確実に保持できる。
【図面の簡単な説明】
【図１】本発明の一実施の形態の説明用の要部の概略の分解斜視図
【図２】本発明の一実施の形態の説明用の概略の斜視図
【図３】従来技術の説明用の斜視図
【図４】他の従来技術の説明用の分解斜視図
【符号の説明】
１  矢板
２  腹起しハンガー矢板
３  一段目吊り下げ用孔
９  一段目フック
１０  一段目引っ掛け具
１１  一段目腹起し載置部
１２  前壁
１３  引っ掛け具
１９  二段目フック
２０  吊り下げ用孔
２１  二段目腹起し載置部
３４  ブラケット
３５  腹起し
４２  丸穴
４３  短いチェーン
４４  長いチェーン
４５  一方のフック
４６  他方のフック
【図１】
0003949320.tif 000002
【図２】
0003949320.tif 000003
【図３】
0003949320.tif 000004
【図４】
0003949320.tif 000005